(57)【要約】【課題】従来よりも暗い背景の撮影を行うことができ、撮影モードの判別が容易なレンズ付きフイルムユニットを低価格で提供する。【解決手段】切替板４１には、減光部２４、指標板２５、及び挟持ピン５７が一体に形成されている。第１撮影モード及び第２撮影モード（ストロボＯＮ）においては、切替板４１に設けられた減光部は、ストロボ発光部１４より左方の退避する位置にあり、指標板２５は対物ファインダ窓１３より左方の退避する位置にある。第３撮影モード（ストロボＯＮ）においては、モード切替レバー１６が操作されて切替板４１が右方向に移動する。これにより、減光部２４はストロボ発光部１４の前面を覆い、ストロボ発光部１４からのストロボ光が減光され、指標板２５が対物ファインダ窓１３内に挿入される。また、挟持ピン５７により絞り切替機構及びシャッタ速度切替機構が切替えられて露出が切替えられる。【選択図】　　　　図６
2004117897.tif 000002
【特許請求の範囲】
【請求項１】
ストロボを作動状態と非作動状態との間で切り替えるストロボ発光切替手段を備え、さらに、絞りを大絞りと小絞りとの間で切り替える絞り切替機構と、シャッタ速度を高速と低速との間で切り替えるシャッタ速度切替機構との少なくとも一方を備えたレンズ付きフイルムユニットにおいて、
ストロボ発光量を通常発光モードと減光発光モードとに切替える発光モード切替部材と、
前記発光モード切替部材により、前記通常発光モードに切替えられた時に、ストロボ発光部の前面から退避され、前記減光発光モードに切替えられた時に、ストロボ発光部の前面に挿入されて被写体に放射されるストロボ光を減光する減光部材と、
前記発光モード切替部材により、前記通常発光モードまたは前記減光発光モードに切替えられた時に、ファインダ視野内に挿入され、撮影モードを撮影者に視認させるモード表示部材と、
前記発光モード切替部材によって、前記通常発光モードに切替られた時に、前記絞り切替機構と前記シャッタ速度切替機構との少なくとも一方を切替えて高輝度モードに設定し、前記減光発光モードに切替えられた時に、前記絞り切替機構と前記シャッタ速度切替機構との少なくとも一方を切替えて低輝度モードに設定する露出切替部材とを一体に形成した切替板を備え、通常発光モード位置と減光発光モード位置との間で移動自在にしたことを特徴とするレンズ付きフイルムユニット。
【請求項２】
前記ストロボ発光切替手段が非作動状態に設定され、前記発光モード切替部材により前記切替板が前記通常発光モード位置にセットされた第１撮影モードと、
前記ストロボ発光切替手段が作動状態に設定され、前記発光モード切替部材により前記切替板が前記通常発光モード位置にセットされた第２撮影モードと、
前記ストロボ発光切替手段が作動状態に設定され、前記発光モード切替部材により前記切替板が前記減光発光モード位置にセットされた第３撮影モードとの３種類の撮影モードを設けたことを特徴とする請求項１記載のレンズ付きフイルムユニット。
【請求項３】
前記第１撮影モードは、日中撮影モードであり、前記第２撮影モードは、日中シンクロ撮影モードであり、前記第３撮影モードは夜間シンクロ撮影モードであることを特徴とする請求項２記載のレンズ付きフイルムユニット。
【発明の詳細な説明】
【０００１】
【発明の属する技術分野】
本発明は、レンズ付きフイルムユニットに関し、更に詳しくは、複数の撮影モードを有するレンズ付きフイルムユニットに関するものである。
【０００２】
【従来の技術】
製造時に写真フイルムが装填されたレンズ付きフイルムユニットが各種販売されている。初期のレンズ付きフイルムユニットは、絞りやシャッタ速度が固定であった。そのため、光量の少ない暗い場所で撮影を行うと、主要な被写体はストロボ光によって適正に露出されるが、周辺光の取り込み量が少ないため背景は撮影されなかった。また、ユーザーによるレンズ付きフイルムユニットへの要望として、夜間にライトアップされた建物やイルミネーション等の夜景撮影への対応があった。
【０００３】
上記要望に応えるために、ストロボ撮影時に絞りが開くレンズ付きフイルムユニット（特開２０００−３０５２２１号、特開２００１−２１５５９９号）や、簡易ＡＥ機能を搭載したレンズ付きフイルムユニット（特開平９−５８１７号）、ストロボ撮影時に絞りを開きかつシャッタスピードを遅くするレンズ付きフイルムユニット（特開平１０−３３３２８７号）、手動の切り替え操作によって絞りとストロボ光量とを切り替えられるようにし、大絞り状態でストロボの減光発光を行う夜間撮影モードを備えたレンズ付きフイルムユニット（特開２０００−１６２７３８号）等が発明されている。
【０００４】
上記各発明のレンズ付きフイルムユニットは、背景を撮影できる明るさの範囲が狭かった。また、設定されている撮影モードの状態が撮影モードを切り替える操作部材の位置でしか判別できなかったため、例えば、夜間撮影モードで日中撮影を行う等の不適切な撮影モード選択が行われる等の種々の問題を有している。これらの問題を解決するために、従来よりも暗い背景の撮影を行うことができ、かつ、撮影モードの判別が容易なレンズ付きフイルムユニット（特願２００２−１５１３２８）が本出願人より出願されている。
【０００５】
【発明が解決しようとする課題】
しかしながら、特願２００２−１５１３２８号記載のレンズ付きフイルムユニットは、露出切替、シャッタスピード切替、減光発光切替、及び撮影モード表示等を行うために多数の部品を使用するために製造コストが高くなるといる問題があった。
【０００６】
本発明は、上記問題点を解決するためのもので、従来よりも暗い背景の撮影を行うことができ、撮影モードの判別が容易なレンズ付きフイルムユニットを低価格で提供することを目的とする。
【０００７】
【課題を解決するための手段】
上記問題点を解決するために、本発明のレンズ付きフイルムユニットは、ストロボ発光量を通常発光モードと減光発光モードとに切替える発光モード切替部材と、発光モード切替部材により、通常発光モードに切替えられた時に、ストロボ発光部の前面から退避され、減光発光モードに切替えられた時に、ストロボ発光部の前面に挿入されて被写体に放射されるストロボ光を減光する減光部材と、発光モード切替部材により、通常発光モードまたは減光発光モードに切替えられた時に、ファインダ視野内に挿入され、撮影モードを撮影者に視認させるモード表示部材と、発光モード切替部材によって、通常発光モードに切替られた時に、絞り切替機構とシャッタ速度切替機構との少なくとも一方を切替えて高輝度モードに設定し、減光発光モードに切替えられた時に、絞り切替機構とシャッタ速度切替機構との少なくとも一方を切替えて低輝度モードに設定する露出切替部材とを一体に形成した切替板を備え、通常発光モード位置と減光発光モード位置との間で移動自在にしたことを特徴とするものである。
【０００８】
ストロボ発光切替手段が非作動状態に設定され、発光モード切替部材により切替板が通常発光モード位置にセットされた第１撮影モードと、ストロボ発光切替手段が作動状態に設定され、発光モード切替部材により切替板が通常発光モード位置にセットされた第２撮影モードと、ストロボ発光切替手段が作動状態に設定され、発光モード切替部材により切替板が減光発光モード位置にセットされた第３撮影モードとの３種類の撮影モードを設けたことを特徴とするものである。
【０００９】
第１撮影モードは、日中撮影モードであり、第２撮影モードは、日中シンクロ撮影モードであり、第３撮影モードは夜間シンクロ撮影モードであることを特徴とするものである。
【００１０】
【発明の実施の形態】
図１は、本発明を実施したレンズ付きフイルムユニットの外観形状を示す斜視図である。レンズ付きフイルムユニット１０は、各種撮影機構が組み込まれたユニット本体１１と、このユニット本体１１の製造時に装填されたフイルムパトローネとからなる。ユニット本体１１の前面には、撮影レンズ１２，対物ファインダ窓１３，ストロボ発光部１４，ストロボ操作部１５、及びモード選択レバー１６等が設けられている。ユニット本体１１の上面には、シャッタボタン１７，カウンタ表示窓１８，シグナル用開口１９等が設けられている。ユニット本体１１の背面からは、撮影後のフイルム巻き上げに用いられる巻上げノブ２０の一部が露呈されている。
【００１１】
ストロボ操作部１５は、ユニット本体１１の前面に形成されたストロボ操作開口２１と、このストロボ操作開口２１内で移動自在とされた略小判形状のストロボ操作部材２２とからなる。ストロボ操作部材２２は、ストロボ操作開口２１内の下方に位置する第１操作位置と、図２に示すように、第１操作位置から上方に向けてスライドされた第２操作位置との間で移動自在とされている。
【００１２】
レンズ付きフイルムユニット１０は、ストロボ操作部材２２が第１操作位置にある際に、ストロボＯＦＦ及び小絞り及び高速シャッタの日中撮影モード（第１撮影モード）となる。また、ストロボ操作部材２２が第２操作位置にある際には、ストロボＯＮ及び小絞り及び高速シャッタの日中シンクロ撮影モード（第２撮影モード）となる。この第２撮影モードでは、レンズ付きフイルムユニット１０の上面からシグナル部材２３が突出される。このシグナル部材２３はライトガイドであり、ストロボ充電の完了時に発光する発光素子の光をユニット本体１１外にガイドして、撮影準備が完了したことを知らせる。
【００１３】
さらに、第２撮影モードにおいて、図３に示すように、モード選択レバー１６がユニット本体１１の正面に向かって右に移動させた際には、ストロボＯＮ及び大絞り及び低速シャッタの夜間シンクロ撮影モード（第３撮影モード）となる。この第３撮影モードでは、ストロボ発光部１４の前方に減光部２４が配置され、ストロボ光量の減光が図られる。また、対物ファインダ窓１３内には、円形状の板に星型の開口を有する指標板２５が配置される。この指標板２５は、ファインダ内で視認されることにより、レンズ付きフイルムユニット１０が第３撮影モードにあることを撮影者に知らせる。
【００１４】
図４は、ユニット本体１１の構成を示す分解斜視図である。ユニット本体１１は、１３５タイプのフイルムパトローネ２６が装填される本体基部２７と、この本体基部２７の前面側に取り付けられるストロボユニット２８と、ストロボ発光のオン／　オフの切替えを行うストロボ切替機構２９と、本体基部２７の前面側及び背面側に取り付けられる前カバー３０及び後カバー３１とからなる。
【００１５】
ストロボユニット２８は、各種電気部品が取り付けられてストロボ回路が形成されたプリント基板３１と、放電管やリフレクタ，拡散板等からなるストロボ発光部１４とから構成されている。また、プリント基板３１には、シャッタレリーズに連動してオンし、ストロボ発光を行わせるシンクロスイッチ３２と、ストロボ操作部材２２の移動によってオン／オフされる充電スイッチを構成する金属接片３３と、電池３４をストロボ回路に接続する電池接片３５等が取り付けられている。シンクロスイッチ３２は、上部金属接片３２ａと下部金属接片３２ｂで構成されており、後述するシャッタ羽根のシンクロ突起に押圧された上部金属接片３２ａが下部金属接片３２ｂに接触することによりオンとなる。
【００１６】
ストロボ操作部材２２は、スイッチ板３７に一体に設けられている。このスイッチ板３７の側部には、先端に係止部３９ａが形成された係止レバー３９が一体に設けられている。このスイッチ板３７は、受板３８によりスライド自在に支持されてストロボユニット２８の前面に取付けられる。
【００１７】
また、本体基部２７の前面中央には、遮光筒３６が設けられている。この遮光筒３６の周囲には、シャッタチャージ機構，シャッタレリーズ機構，フイルム巻上げ機構，フイルム巻止機構，フイルムカウント機構，絞り切替機構，シャッタ速度切替機構，撮影光学系，ファインダ光学系等が組み込まれている。
【００１８】
前述した前カバー３０には、図５に示すように、その前面中央に化粧カバー４０と切替板４１とが取付けられている。前カバー３０の前面には、ストロボ発光部１４を外部に露出するためのストロボ発光窓４２が設けられ、その下方にストロボ操作用開口２１が設けられている。さらに、前面中央には、対物ファインダ用開口４４、撮影レンズ用開口４５、スイッチ板３７に一体に設けられた係止レバー３９が挿通される開口４６、切替板４１の下方に設けられた一対の挟持ピン５７が挿通される開口４７、切替板４１の水平方向の移動をガイドするガイド板４８，４９が設けられている。この挟持ピン５７は、後述する切替リングに設けられた被挟持ピンを挟持して、切替板４１の水平方向の移動に連動して絞り切替操作、シャッタ速度切替操作を行うものである。
【００１９】
切替板４１には、ストロボ発光部１４を前面から覆い、被写体に向けた放射されるストロボ光を減光するための減光部２４、対物ファインダ用開口５４、モード切替レバー１６、指標板２５、撮影レンズ１２を常に挿通させるために略小判形状にされた撮影レンズ用開口５５、切欠５６、及び前述した一対の挟持ピン５７が一体に設けられている。減光部２４には、ストロボ発光部１４から放射されたストロボ光を外部に漏らすための開口２４ａ，２４ｂが設けられている。
【００２０】
この切替板４１は、トグルばね５０の一端が前カバーの前面に設けられたピン５１に掛けられ、他端が切替板４１に設けられたピン５２に掛けられることにより、前カバー３０の前面に水平方向に移動自在に取付けられる。切替板４１は、このトグルばね５０により、通常発光を行う第２撮影モード位置、または減光発光を行う第３撮影モード位置に付勢される。
【００２１】
切替板４１は、前カバー３０の前面中央に取付けられた後に、化粧カバー４０により前面から覆われる。この化粧カバー４０の上部には、ストロボ発光量を通常発光モードと減光発光モードとの間で切替えを行うモード切替レバー１６をユニット本体１１の外部に突出させるための開口５８が設けられており、前面には撮影レンズ１２をユニット本体１１の外部に露出するための開口５９、及び対物ファインダ窓１３が設けられている。
【００２２】
切替板４１は、モード切替レバー１６を水平方向に移動することにより、図６（Ａ）に示す位置と図６（Ｃ）に示す位置との間で移動する。図６（Ａ）の状態は、日中撮影モード（第１撮影モード）であり、ストロボ操作部材２２は、第１操作位置にあり、ストロボＯＦＦの状態である。この時、スイッチ板３７の係止レバー３９の先端に設けられた係止部３９ａは、切替板４１の切欠５６の被係止面５６ａを係止して、モード切替レバー１６により切替板４１が右方向に移動されるのを阻止する。この第１撮影モードにおいては、減光部２４はストロボ発光部１４の左方の退避する位置にあり、対物ファインダ用開口５４は、対物ファインダ窓１３を露出する位置にある。また、指標板２５は、対物ファインダ窓１３の左方の退避する位置にある。
【００２３】
図６（Ｂ）の状態は、日中シンクロ撮影モード（第２撮影モード）であり、ストロボ操作部材２２が上方に向けてスライドされた第２操作位置であり、ストロボがＯＮの状態である。切替板４１は、図６（Ａ）の場合と同様の位置である。また、この第２撮影モードにおいては、係止部３９ａは、切欠５６の上面５６ｂに当接するので、切替板４１は、被係止面５６ａでの係止が解除される。これにより、モード選択レバー１６を操作して切替板４１を横移動することにより、夜間シンクロ撮影モード（第３撮影モード）にすることが可能となる。
【００２４】
図６（Ｃ）の状態は、夜間シンクロ撮影モード（第３撮影モード）である。この第３撮影モードにおいては、第２撮影モードと同様にストロボがＯＮの状態である。さらに、モード選択レバー１６により、切替板４１が右方向に移動されており、切替板４１の減光部２４はストロボ発光部１４の前面を覆い、ストロボ発光部１４からのストロボ光を減光する。また、指標板２５が対物ファインダ窓１３内に挿入される。また、係止部３９ａは、切替板４１の切欠５６の左側面５６ｃに当接する位置にある。この切欠５６の下面は、斜面５６ｄが形成されており、ストロボ操作部材２２を下方の第１操作位置に移動することにより、係止部３９ａが斜面５６ｄを左方向に押圧して、切替板４１を左方向に移動させて図６（Ａ）の位置に復帰させる。
【００２５】
本発明のレンズ付きフイルムユニット１０は、前述した切替板４１の移動に連動して、絞り切替え及びシャッタ速度切替えが行われる。以下に、絞り切替機構及びシャッタ速度切替機構について説明を行う。
【００２６】
図７は、遮光筒３６の周囲に組み込まれたシャッタレリーズ機構，絞り切替機構，シャッタ速度切替機構，撮影光学系の構成を示す分解斜視図である。遮光筒３６の前面には、露光開口６７が形成されている。遮光筒３６の側方には、シャッタ羽根６８を揺動自在に支持するピン６９と、バネ７０の一端が掛けられるピン７１とが設けられている。
【００２７】
シャッタレリーズ機構を構成するシャッタ羽根６８は、ピン６９に挿通される穴７３ａが形成されたベース部７３と、露光開口６７の前方に配置されて該露光開口６７の開閉を行う開閉部７４と、ベース部７３と開閉部７４とを接続する連結部７５とからなる。ベース部７３には、バネ７０の他端が掛けられるピン７３ｂと、シャッタ駆動レバー７７によって蹴飛ばされる突出部７３ｃと、ストロボユニット２８のシンクロスイッチ３２を動作させるシンクロ突起７３ｄとが設けられている。シャッタ羽根６８は、バネ７０に付勢されて露光開口６７を塞ぐ閉じ位置に保持されている。
【００２８】
シャッタ駆動レバー７７は、シャッタレリーズ機構を構成する部品の一つであり、シャッタチャージ機構によって図中時計方向のチャージ位置に回動される。そして、シャッタレリーズ時に、図中反時計方向のレリーズ位置に向けて回動し、その際にシャッタ羽根６８の突出部７３ｃを蹴飛ばす。シャッタ駆動レバー７７に蹴飛ばされたシャッタ羽根６８は、バネ７０の付勢に抗して図中時計方向の開き位置に向けて回動する。そして、レンズホルダ８６の内面に設けられたストッパーピン８６ａ（図１１参照）に当接すると、バネ７０の付勢によって閉じ位置に復帰する。
【００２９】
また、シャッタ羽根６８は、開き位置への回動時にシンクロ突起７３ｄでシンクロスイッチ３２の上部金属接片３２ａを押圧し、下部金属接片３２ｂに接触させる。一対の金属接片３２ａ，３２ｂが接触してシンクロスイッチ３２がＯＮすると、ストロボユニット２８の発光部１４においてストロボ発光が行われる。
【００３０】
レンズホルダ８６の上部には、ストップレバー７９を回動自在に支持するピン８０が形成されている。シャッタスピード切替部材であるストップレバー７９は、ピン８０に支持されるボス８１と、このボス８１の側面から突出された２本のアーム８２，８３と、一方のアーム８２の先端に形成されたパッド８４とからなる。このストップレバー７９は、図８に示すように、パッド８４をシンクロスイッチ３２の下部金属接片３２ｂの自由端側の下方に挿入する高速シャッタ位置と、図９に示すように、パッド８４を下部金属接片３２ｂの下方から退避させる低速シャッタ位置との間で回動される。
【００３１】
図１０に示すように、ストップレバーのパッド８４が高速シャッタ位置にある際にシャッタレリーズが行われると、シャッタ羽根６８のシンクロ突起７３ｄに押圧されたシンクロスイッチ３２の上部金属接片３２ａが下部金属接片３２ｂに接触し、ストロボ発光が行われる。下部金属接片３２ｂはパッド８４に当接するため、シャッタ羽根６８は、開き位置への移動の途中で回動が阻止される。これにより、短時間でシャッタ羽根６８が閉じ位置に復帰し、シャッタ速度が速くなる。ストップレバー７９が高速シャッタ位置にあるときのシャッタ速度は、例えば１／１１０秒となる。
【００３２】
上記とは逆に、図１１に示すように、ストップレバー７９のパッド８４が低速シャッタ位置にある際には、シャッタ羽根６８の開き位置への回動が大きくなる。これは、金属接片３２ｂの弾性変形が自由になるためであり、その結果、シャッタ羽根６８が閉じ位置に復帰するまでの時間が長くなって、シャッタ速度が遅くなる。ストップレバー８４が低速シャッタ位置にあるときのシャッタ速度は、例えば１／４５秒となる。
【００３３】
図７に示すように、遮光筒３６の前方には、略板状のレンズホルダ８６が取り付けられる。レンズホルダ８６の前面中央には、筒形状の鏡筒８７が形成されている。鏡筒８７内には、撮影開口８８が形成されており、鏡筒８７の側面には切欠８９が形成されている。鏡筒８７内には、撮影レンズ１２を構成する第１レンズ９０と第２レンズ９１とが収納される。これら第１レンズ９０と第２レンズ９１との間には、絞り切替機構を構成する大絞り板９２と、絞り切替板９３と、スペーサー９４とが収められる。大絞り板９２は、円形の薄板からなり、中央に大径の絞り開口９２ａが形成されている。
【００３４】
レンズホルダ８６の前面には、鏡筒８７に収められた撮影レンズ１２等の部品と、鏡筒８７の外周に取り付けられた切替リング９８とが外れないように押さえるレンズ押さえ板９５が取り付けられる。
【００３５】
絞り切替板９３は、く字形状の薄板からなり、一端に大絞り開口９２ａを塞ぐ大きさの小絞り部９３ａが設けられている。この小絞り部９３ａには、小径の絞り開口９３ｂが形成されている。絞り切替板９３の他端には、穴９３ｃと長穴９３ｄとが形成されている。穴９３ｃは、レンズホルダ８６の鏡筒８７の近傍に形成されたピン９６に挿通され、絞り切替板９３を揺動自在とする。絞り切替板９３は、切欠８９を利用して小絞り部９３ａを鏡筒８７内に出入りさせ、大絞り開口９２ａを露呈させる大絞り位置と、大絞り開口９２ａを隠す小絞り位置との間で回動される。
【００３６】
鏡筒８７の外周には、切替リング９８が回動自在に嵌入される。切替リング９８には、バネ１００の一端が掛けられるバネ掛けピン９８ａと、絞り切替板９３の長穴９３ｄに挿入されるリンクピン９８ｂと、ストップレバー７９の他方のアーム８３が間に挟み込まれる一対の挟持ピン９８ｃと、切替リング９８の下方に突出し、前述した切替板４０に設けられた一対の挟持ピン５７により挟持される被挟持ピン９８ｄとが設けられている。
【００３７】
バネ１００の他端は、レンズホルダ８６の前面下部に形成されたピン１０１に掛けられ、切替リング９８を図中時計方向に付勢する。なお、バネ１００によって付勢された切替リング９８は、切替板４１との連係によって所定の位置に保持される。
【００３８】
ストロボ操作部材２２が第１操作位置にある時に、切替板４１に設けられたモード切替レバー１６を水平方向（左から右）に移動することにより、切替板４１に設けられた挟持ピン５７は、切替リング９８の被挟持ピン９８ｄを左から右に水平方向に移動させることにより、切替リング９８は図中反時計方向に回動される。
【００３９】
図１０は、第１撮影モード及び第２撮影モードにおける切替リング９８の状態を示している。ストロボ操作部材２２が第１操作位置にある場合、及び第２操作位置にあっても切替板４１がモード切替レバー１６により移動操作が行われていない場合、切替リング９８の被挟持ピン９８ｄは、切替板４１の挟持ピン５７に初期位置で保持されたままである。そのため、切替リング９８も初期位置に保持されている。
【００４０】
切替リング９８が初期位置にある時には、絞り切替板９３は小絞り部９３ａが鏡筒８７内に挿入される小絞り位置に保持される。これにより、小絞り部９３ａが大絞り開口９２ａを塞いで小絞り状態となる。この小絞り状態でのＦ値は、例えばＦ１４となる。また、一対の挟持ピン９８ｃは、ストップレバー７９を高速シャッタ位置に保持している。
【００４１】
図１１は、第３撮影モードにおける切替リング９８の状態を示している。モード切替レバー１６により切替板４１が通常発光位置から減光発光位置へ移動操作されると、切替板４１の挟持ピン５７が、切替リング９８の被挟持ピン９８ｄを挟持しながら、横方向（右方向）に移動し、切替リング９８を図中反時計方向に回動させる。この切替リング９８の回動により、リンクピン９８ｂに押圧された絞り切替板９３が図中時計方向に回動し、小絞り部９３ａが光軸上から退避する大絞り位置に移動する。この大絞り状態でのＦ値は、例えばＦ５．６となる。また、一対の挟持ピン９８ｃはストップレバー７９を回動させ、パッド８４を低速シャッタ位置にセットする。
【００４２】
次に、上記実施形態の作用について説明する。図１に示すように、日中撮影モードにあるレンズ付きフイルムユニット１０は、ストロボ操作部材２２がストロボ操作用開口２１の下方の第１操作位置にスライドされている。
【００４３】
この日中撮影モード（第１撮影モード）では、図１０に示すように、切替リング９８がバネ１００に付勢され、切替板４１の一対の挟持ピン５７に挟持されて初期位置にある。切替リング９８が初期位置にある時には、絞り切替板９３が小絞り位置にセットされ、図８に示すように、ストップレバー７９が高速シャッタ位置にセットされている。
【００４４】
また、この日中撮影モードでは、スイッチ板３７は、受板３８にあるため、ストロボユニット２８の充電スイッチの金属接片３３は押圧されておらず、シグナル部材２３はユニット本体１１の上面から突出されていない。
【００４５】
図６（Ａ）に示すように、日中撮影モードでは、減光部２４及び指標板２５はレンズ付きフイルムユニット１０の前面に露呈されない。また、切替板４１は、スイッチ板３７の係止部３９ａにより係止面５６ａで係止されているため、モード切替レバー１６の操作による移動が阻止されている。このため、誤操作が防止される。
【００４６】
日中撮影モードで撮影を行うと、ストロボ発光は行われない。また、絞りの状態は小絞り状態であり、図１０に示すように、ストップレバー７９によってシャッタ羽根６８の回動が途中で阻止され、シャッタ速度が速くなる。これにより、輝度の高い日中屋外での撮影に適した露出で撮影を行うことができる。
【００４７】
図２に示すように、ストロボ操作部材２２がストロボ操作用開口２１の上方の第２操作位置にスライドされると、レンズ付きフイルムユニット１０は、日中シンクロ撮影モードにセットされる。
【００４８】
日中シンクロ撮影モードにおいても、切替リング９８は初期位置に維持されて、日中撮影モードと同様に、図１０に示す状態であり、小絞り状態及び高速シャッタ状態である。
【００４９】
日中シンクロ撮影モードでは、スイッチ板３７が受板３８の上方にスライドされるので、ストロボユニット２８の充電スイッチの金属接片３３は、スイッチ板３７の裏面に設けられた押圧片に押圧されてオン状態となるため、ストロボユニット２８ではストロボ充電が行われる。
【００５０】
また、スイッチ板３７は、シグナル部材２３を押圧して、図２に示すように、ユニット本体１１の上面から突出させている。ストロボ充電が完了すると、ストロボユニット２８に設けられた発光素子が点灯または点滅し、この発光素子の光は、シグナル部材２３にガイドされてユニット本体１１外に放射される。
【００５１】
図６（Ｂ）に示すように、日中シンクロ撮影モードでも、モード選択レバー１６は操作されないので切替板４１は、初期位置に維持されたままであり、減光部２４及び指標板２５はレンズ付きフイルムユニット１０の前面に露呈されない。また、切替板４１は、スイッチ板３７の係止部３９ａによる係止面５６ａで係止が解除されているため、モード切替レバー１６の操作により夜間シンクロ撮影モードにセットすることが可能となる。
【００５２】
この日中シンクロ撮影モードで撮影を行うと、ストロボ発光が行われる。また、小絞り状態及び高速シャッタ状態であるため、輝度の高い日中屋外でのシンクロ撮影に適した露出で撮影を行うことができる。
【００５３】
レンズ付きフイルムユニット１０は、図６（Ｂ）に示す日中シンクロ撮影モードからモード選択レバー１６を横方向に移動操作することにより、図６（Ｃ）に示す夜間シンクロ撮影モードにセットされる。
【００５４】
夜間シンクロ撮影モードでは、図３に示すように、減光部２４及び指標板２５がレンズ付きフイルムユニット１０の前面に露呈される。
【００５５】
図１１に示すように、夜間シンクロ撮影モードでは、切替板４１の一対の挟持ピン５７により、切替リング９８の被挟持ピン９８ｄが横方向に移動することにより、切替リング９８が反時計方向に回動する。切替リング９８の回動によって、絞り切替板９３が大絞り位置に回動し、大絞り開口９２ａが撮影光軸上に配置される。また、図９に示すように、ストップレバー７９は低速シャッタ位置にセットされる。また、ストロボ操作部材２２は第２操作位置に保持されたままであり、ストロボユニット２８の充電スイッチは、オン状態が維持される。
【００５６】
夜間シンクロ撮影を行うと、ストロボ発光が行われるが、切替板４１に設けられた減光部２４によってストロボ光が遮られるため、ストロボ光量は小さくなる。また、大絞り及び低速シャッタ状態となるため、被写体の周辺光の取り込み量が増加する。これにより、夜間や屋内での撮影でも、露光オーバーを発生させることなく、被写体と被写体の周辺画像とをバランスよく撮影することができる。このため、被写体を夜景をバックにして撮影する場合などに有効である。
【００５７】
次に、切替板４１の変形例について説明を行う。この切替板１１０は、半透明のプラスチックで形成されており、例えば、ＮＤフィルタのような半透明グレーのプラスチックで形成されている。この切替板１１０は、図１２に示すように、減光部１１１、指標部１１２、撮影レンズ用開口１１３、一対の挟持ピン１１４、スイッチ板１１８に一体に形成された係止レバー１２０の係止部１２０ａにより係止される係止開口１１５、及びモード切替レバー１１６が設けられている。
【００５８】
スイッチ板１１８は、ストロボ操作部材１１９、及び先端に係止部１２０ａが形成された係止レバー１２０が一体に設けられており、このストロボ操作部材１１９が、ストロボ操作用開口１１７内で図１２（Ａ）に示す第１操作位置と、図１２（Ｂ）及び図１２（Ｃ）に示す第２操作位置との間で移動自在にされている。
【００５９】
図１２（Ａ）は、日中撮影モード（第１撮影モード）であり、ストロボ操作部材１１９は、第１操作位置にあり、ストロボＯＦＦの状態である。この時、係止部１２０ａは、切替板１１０の係止開口１１５の左側面である係止面１１５ａを係止して、モード切替レバー１１６により切替板１１０が右方向に移動されるのを阻止する。この第１撮影モードにおいては、減光部１１１はストロボ発光部１４の左方の退避する位置にあり、指標部１１２は、対物ファインダ窓１３内に挿入されている。撮影者は、ファインダの視野内で指標部１１２を視認することができ、撮影モードを確認することが可能である。また、指標部１１２は半透明のプラスチックで形成されているので、ファインダから指標部１１２を介して被写体を見ることにより、被写体が視認できた時には、高輝度モード（第１及び第２撮影モード）での撮影が可能であることが判断できる。
【００６０】
図１２（Ｂ）の状態は、日中シンクロ撮影モード（第２撮影モード）であり、ストロボ操作部材１１９が右方向に向けてスライドされた第２操作位置であり、ストロボがＯＮの状態である。切替板１１０は、図１２（Ａ）の場合と同様の位置である。この第２撮影モードにおいては、係止部１２０ａは、係止開口１１５の右側面１１５ｂに当接するので、切替板１１０は、被係止面１１５ａでの係止が解除される。これにより、モード切替レバー１１６を操作して切替板１１０を横移動することにより、夜間シンクロ撮影モード（第３撮影モード）にすることが可能となる。また、撮影者は、第１撮影モードの場合と同様に、ファインダの視野内で指標部１１２を視認することがでる。
【００６１】
図１２（Ｃ）の状態は、夜間シンクロ撮影モード（第３撮影モード）である。この第３撮影モードにおいては、第２撮影モードと同様にストロボがＯＮの状態である。さらに、モード切替レバー１１６により、切替板１１０が右方向に移動されており、切替板１１０の減光部１１１はストロボ発光部１４の前面を覆い、減光部１１１は、半透明のプラスチックで形成されているので、ストロボ発光部１４からのストロボ光が減光される。指標部１１２が対物ファインダ窓１３の右側部の退避位置に移動されている。また、切替板１１０のモード切替レバー１１６を左方向に移動させることにより、図１２（Ａ）及び図１２（Ｂ）の状態に復帰させることが可能である。
【００６２】
この切替板１１０は、切替板４１の場合と同様に、一対の挟持ピン１１４によりシャッタ速度切替及び絞り切替が行われる。また、その作用についても切替板４１の場合と同様である。
【００６３】
なお、上記実施例においては、本発明のレンズ付きフイルムユニットにシャッタ速度切替機構と絞り切替機構の両方設けたが、どちらか一方のみを設けても良い。この場合、シャッタ速度切替機構または絞り切替機構のどちらか一方で露出を制御する。
【００６４】
また、上記実施例においては、指標板として、星形の開口を設けた円形状の板及び半透明のプラスチック板を用いたが、三日月形状や注意を促すマーク等を用いても良い。
【００６５】
【実施例】
以下の表１は、次に記す４種類，８撮影モードのレンズ付きフイルムユニットの絞り値Ｆ，シャッタスピードＳ，フイルム感度ＩＳＯ，ストロボ発光状態，露出値ＥＶを比較したものである。
ＬＦ１：固定絞り及び固定シャッタ型レンズ付きフイルムユニット
ＬＦ２−１：ストロボ連動式絞り切替型レンズ付きフイルムユニットのストロボオフ状態
ＬＦ２−２：ストロボ連動式絞り切替型レンズ付きフイルムユニットのストロボオン状態
ＬＦ３−１：ＡＥ内蔵レンズ付きフイルムユニットの高光量撮影時
ＬＦ３−２：ＡＥ内蔵レンズ付きフイルムユニットの低光量撮影時
ＬＦ４−１：本発明のレンズ付きフイルムユニットの第１撮影モード
ＬＦ４−２：本発明のレンズ付きフイルムユニットの第２撮影モード
ＬＦ４−３：本発明のレンズ付きフイルムユニットの第３撮影モード
【００６６】
【表１】
2004117897.tif 000003
【００６７】
表１から分かるように、ＥＶ１０．８のＬＦ１では、周辺光の取り込み量が少ないため、夜間ストロボ撮影時に主要な被写体の背景を撮影することができなかった。また、ＬＦ２では、ストロボオン時（ＬＦ２−２）にＥＶ８．８となるため、主要な被写体の背景も撮影することができる。しかし、日中にストロボ撮影を行うと露光オーバーが発生する。
【００６８】
ＬＦ３では、主要な被写体の背景を撮影することもでき、露光オーバーが発生することもない。しかし、ＡＥ装置を組み込むことにより、レンズ付きフイルムユニットの価格が高くなってしまう。
【００６９】
これらＬＦ１〜ＬＦ３に対し、本願発明のＬＦ４では、露光オーバーを発生させることなく日中ストロボ撮影を行うことができる。また、夜間ストロボ撮影は、ＥＶ６．４であるため、従来機種よりも暗い背景を撮影することができる。更に、これらの撮影モードの切り替えを、誤選択の生じにくい手動切替によって行うため、レンズ付きフイルムユニットのコストアップを防ぐことができる。
【００７０】
【発明の効果】
以上説明したように、本発明によれば、従来よりも暗い背景の撮影を行うことができ、かつ露光オーバーが発生しにくい。また、減光部、指標板、ファインダ用開口、及びモード切替部材を一枚の切替板に一体に設けたので部品点数を削減可能であり、低価格で夜景撮影可能なレンズ付きフイルムユニットを提供することができる。
【００７１】
さらに、撮影モードの選択によって、指標を表示させるようにしたので、撮影モードの判別が容易になる。また、第１撮影モードにおいて、モード切替レバーにより、第３撮影モードに設定することを禁止したので、撮影モードの誤選択による撮影ミスを少なくすることができる。
【図面の簡単な説明】
【図１】本発明のレンズ付きフイルムユニットの日中撮影モードの状態を示す外観斜視図である。
【図２】本発明のレンズ付きフイルムユニットの日中シンクロ撮影モードの状態を示す外観斜視図である。
【図３】本発明のレンズ付きフイルムユニットの夜間シンクロ撮影モードの状態を示す外観斜視図である。
【図４】本発明のレンズ付きフイルムユニットの構成を示す分解斜視図である。
【図５】切替板の構成を示す分解斜視図である。
【図６】撮影モード毎の切替板の状態を示す説明図である。
【図７】絞り及びシャッタ速度切替機構の構成を示す分解斜視図である。
【図８】ストッパーレバーの高速シャッタ位置を示す説明図である。
【図９】ストッパーレバーの低速シャッタ位置を示す説明図である。
【図１０】日中撮影モード及び日中シンクロ撮影モードにおけるシャッタレリーズを示す説明図である。
【図１１】夜間シンクロモードにおけるシャッタレリーズを示す説明図である。
【図１２】切替板の変形例を示す説明図である。
【符号の説明】
１０　レンズ付きフイルムユニット
１１　ユニット本体
１２　撮影レンズ
１３　対物ファインダ窓
１４　ストロボ発光部
１５　ストロボ操作部
１６　モード切替レバー
２１　ストロボ操作用開口
２２　ストロボ操作部材
２４　減光部
２５　モード表示部材
３２　シンクロスイッチ
３２ａ　上部金属接片
３２ｂ　下部金属接片
４１　切替板
５７　挟持ピン
６８　シャッタ羽根
７９　ストップレバー
９２　大絞り板
９３　絞り切替板
９８　切替リング
１１０　切替板
１１１　減光部
１１２　指標部
１１４　挟持ピン
１１６　モード切替レバー
【図１】
2004117897.tif 000004
【図２】
2004117897.tif 000005
【図３】
2004117897.tif 000006
【図４】
2004117897.tif 000007
【図５】
2004117897.tif 000008
【図６】
2004117897.tif 000009
【図７】
2004117897.tif 000010
【図８】
2004117897.tif 000011
【図９】
2004117897.tif 000012
【図１０】
2004117897.tif 000013
【図１１】
2004117897.tif 000014
【図１２】
2004117897.tif 000015